(57)【要約】【課題】視聴中のコンテンツが表示された画面に代えて、広告サイトの画面が表示された場合に、視聴中のコンテンツの見逃しを防止することができる電子機器、表示装置、制御方法およびプログラムを提供する。【解決手段】実施形態の電子機器は、受信部と、表示制御部と、記憶制御部と、を備える。受信部は、画像データを含む放送データを受信する。表示制御部は、受信した放送データが含む画像データに基づく第１画像と当該第１画像に関連する関連情報の表示を指示可能な第２画像とを含む第１画面を表示部に表示させ、第２画像を用いて関連情報の表示が指示された場合に、関連情報を含む第２画面を表示部に表示させる。記憶制御部は、第２画像を用いた関連情報の表示指示に応じて、受信した放送データの記憶部への記憶処理を開始する。【選択図】図１
2015146492.tif 000002
【特許請求の範囲】
【請求項１】
画像データを含む放送データを受信する受信部と、
受信した前記放送データが含む前記画像データに基づく第１画像と当該第１画像に関連する関連情報の表示を指示可能な第２画像とを含む第１画面を表示部に表示させ、前記第２画像を用いて前記関連情報の表示が指示された場合に、前記関連情報を含む第２画面を前記表示部に表示させる表示制御部と、
前記第２画像を用いた前記関連情報の表示指示に応じて、受信した前記放送データの記憶部への記憶処理を開始する記憶制御部と、
を備えた電子機器。
【請求項２】
前記表示制御部は、前記第２画面の表示終了に連続して、前記記憶部に記憶された前記放送データが含む前記画像データに基づく画像を含む第３画面の前記表示部への表示を開始する請求項１に記載の電子機器。
【請求項３】
前記表示制御部は、前記第２画面の表示が所定の表示条件を満たした場合、前記第２画面の一部に、前記記憶部に記憶された前記放送データが含む前記画像データに基づく画像を含む第４画面を重ねて表示させる請求項１または２に記載の電子機器。
【請求項４】
前記表示制御部は、前記記憶処理が実行された場合、前記記憶処理の実行に関わる実行情報を前記第２画面に含める請求項１から３のいずれか一に記載の電子機器。
【請求項５】
前記実行情報は、前記記憶処理の実行の開始または終了に関する情報である請求項４に記載の電子機器。
【請求項６】
前記記憶制御部は、前記関連情報の表示指示が行われた際に受信していた前記放送データに対応する番組が終了した場合、前記記憶処理を終了する請求項１から５のいずれか一に記載の電子機器。
【請求項７】
前記記憶制御部は、前記記憶処理の実行を指示する第１設定が予め設定されている場合、前記記憶処理を実行し、前記第１設定が予め設定されていない場合、前記記憶処理の実行を禁止する請求項１から６のいずれか一に記載の電子機器。
【請求項８】
前記表示制御部は、前記第３画面の表示を指示する第２設定が予め設定されている場合、前記第３画面を表示させ、前記第２設定が予め設定されていない場合、前記第３画面の表示を禁止する請求項２に記載の電子機器。
【請求項９】
表示部と、
画像データを含む放送データを受信する受信部と、
受信した前記放送データが含む前記画像データに基づく第１画像と当該第１画像に関連する関連情報の表示を指示可能な第２画像とを含む第１画面を前記表示部に表示させ、前記第２画像を用いて前記関連情報の表示が指示された場合に、前記関連情報を含む第２画面を前記表示部に表示させる表示制御部と、
前記第２画像を用いた前記関連情報の表示指示に応じて、受信した前記放送データの記憶部への記憶処理を開始する記憶制御部と、
を備えた表示装置。
【請求項１０】
電子機器で実行される制御方法であって、
画像データを含む放送データを受信する工程と、
受信した前記放送データが含む前記画像データに基づく第１画像と当該第１画像に関連する関連情報の表示を指示可能な第２画像とを含む第１画面を表示部に表示させる工程と、
前記第２画像を用いて前記関連情報の表示が指示された場合に、前記関連情報を含む第２画面を前記表示部に表示させる工程と、
前記第２画像を用いた前記関連情報の表示指示に応じて、受信した前記放送データの記憶部への記憶処理を開始する工程と、
を含む制御方法。
【請求項１１】
前記第２画面の表示終了に連続して、前記記憶部に記憶された前記放送データが含む前記画像データに基づく画像を含む第３画面の前記表示部への表示を開始する工程を含む請求項１０に記載の制御方法。
【請求項１２】
前記第２画面の表示が所定の表示条件を満たした場合、前記第２画面の一部に、前記記憶部に記憶された前記放送データが含む前記画像データに基づく画像を含む第４画面を重ねて表示させる工程を含む請求項１０または１１に記載の制御方法。
【請求項１３】
前記関連情報の表示指示が行われた際に受信していた前記放送データに対応する番組が終了した場合、前記記憶処理を終了する工程を含む請求項１０から１２のいずれか一に記載の制御方法。
【請求項１４】
コンピュータを、
受信した放送データが含む画像データに基づく第１画像と当該第１画像に関連する関連情報の表示を指示可能な第２画像とを含む第１画面を表示部に表示させ、前記第２画像を用いて前記関連情報の表示が指示された場合に、前記関連情報を含む第２画面を前記表示部に表示させる表示制御部と、
前記第２画像を用いた前記関連情報の表示指示に応じて、受信した前記放送データの記憶部への記憶処理を開始する記憶制御部と、
として機能させるためのプログラム。
【請求項１５】
前記表示制御部は、前記第２画面の表示終了に連続して、前記記憶部に記憶された前記放送データが含む前記画像データに基づく画像を含む第３画面の前記表示部への表示を開始する請求項１４に記載のプログラム。
【発明の詳細な説明】
【技術分野】
【０００１】
本発明の実施形態は、電子機器、表示装置、制御方法およびプログラムに関する。
【背景技術】
【０００２】
放送受信機には、視聴中のコンテンツのシーンを識別可能にする識別情報をサーバに送信し、当該サーバにおいて識別情報を用いて特定されたシーンに関連する広告情報を受信し、受信した広告情報を、視聴中のコンテンツが表示された画面の一部に表示させる機能を有するものがある。さらに、当該放送受信機は、広告情報を画面に表示中において、ユーザ操作によって広告情報が指示された場合に、視聴中のコンテンツが表示された画面に代えて、広告情報に対応する広告サイトの画面を表示することが可能である。
【先行技術文献】
【特許文献】
【０００３】
【特許文献１】特開２００３−７８８３４号公報
【発明の概要】
【発明が解決しようとする課題】
【０００４】
しかしながら、従来の放送受信機においては、視聴中のコンテンツが表示された画面に代えて、広告サイトの画面が表示された場合、コンテンツの視聴が中断され、コンテンツを視聴することができない、という課題がある。
【０００５】
本発明の実施形態は、上記に鑑みてなされたものであって、視聴中のコンテンツが表示された画面に代えて、広告サイトの画面が表示された場合に、視聴中のコンテンツの見逃しを防止することができる電子機器、表示装置、制御方法およびプログラムを提供することを目的とする。
【課題を解決するための手段】
【０００６】
実施形態の電子機器は、受信部と、表示制御部と、記憶制御部と、を備える。受信部は、画像データを含む放送データを受信する。表示制御部は、受信した放送データが含む画像データに基づく第１画像と当該第１画像に関連する関連情報の表示を指示可能な第２画像とを含む第１画面を表示部に表示させ、第２画像を用いて関連情報の表示が指示された場合に、関連情報を含む第２画面を表示部に表示させる。記憶制御部は、第２画像を用いた関連情報の表示指示に応じて、受信した放送データの記憶部への記憶処理を開始する。
【図面の簡単な説明】
【０００７】
【図１】図１は、第１の実施形態にかかるデジタルテレビジョン放送受信装置の主要な信号処理系を示すブロック図である。
【図２】図２は、第１の実施形態にかかるデジタルテレビジョンによる映像信号の表示処理を説明するための図である。
【図３】図３は、第１の実施形態にかかるデジタルテレビジョンにおいて関連情報を表示部に表示させる処理の流れを示すフローチャートである。
【図４】図４は、第１の実施形態にかかるデジタルテレビジョンにおいて第２画面の表示例を示す図である。
【図５】図５は、第２の実施形態にかかるデジタルテレビジョンによる第４画面の表示例を示す図である。
【図６】図６は、変形例１にかかるデジタルテレビジョンによる操作画像の表示例を示す図である。
【図７】図７は、変形例１にかかるデジタルテレビジョンによる操作画像の表示例を示す図である。
【発明を実施するための形態】
【０００８】
以下、添付の図面を用いて、本実施形態にかかる電子機器、表示装置、制御方法およびプログラムについて説明する。
【０００９】
（第１の実施形態）
図１は、第１の実施形態にかかるデジタルテレビジョン放送受信装置の主要な信号処理系を示すブロック図である。本実施形態では、電子機器または表示装置の一例としてのデジタルテレビジョン放送受信装置１（以下、デジタルテレビジョン１と言う）は、図１に示すように、入力端子２０１，２０２と、チューナ２０３，２０４と、ＰＳＫ（Phase  Shift  Keying）復調器２０５と、ＯＦＤＭ（Orthogonal  Frequency  Division  Multiplexing）復調器２０６と、信号処理部２０７と、グラフィック処理部２０８と、音声処理部２０９と、ＯＳＤ（On  Screen  Display）信号生成部２１０と、映像処理部２１１と、を有している。
【００１０】
入力端子２０１には、ＢＳ／ＣＳデジタル放送受信アンテナ２１２で受信した衛星デジタル放送信号が入力される。衛星デジタル放送信号は、入力端子２０１を介してチューナ２０３に供給される。
【００１１】
チューナ２０３は、衛星デジタル放送用のチューナであって、入力端子２０１から供給される衛星デジタル放送信号から、後述する制御部２１６から指示されたチャンネルの放送信号を選局する。そして、チューナ２０３は、選局したチャンネルの放送信号をＰＳＫ復調器２０５に供給する。
【００１２】
ＰＳＫ復調器２０５は、チューナ２０３から供給される放送信号から、デジタルの映像信号（画像データの一例）および音声信号を含む放送信号（放送データの一例）を復調する。そして、ＰＳＫ復調器２０５は、復調したデジタルの放送信号を、信号処理部２０７に出力する。
【００１３】
入力端子２０２には、地上放送受信アンテナ２１３で受信した地上アナログ放送信号が入力される。地上アナログ放送信号は、入力端子２０２を介してチューナ２０４に供給される。
【００１４】
チューナ２０４は、地上デジタル放送用のチューナであって、入力端子２０２から供給される地上デジタル放送信号から、後述する制御部２１６から指示されたチャンネルの放送信号を選局する。そして、チューナ２０４は、選局したチャンネルの放送信号をＯＦＤＭ復調器２０６に供給する。
【００１５】
ＯＦＤＭ復調器２０６は、チューナ２０４から供給される放送信号から、デジタルの映像信号（画像データの一例）および音声信号を含む放送信号（放送データの一例）を復調する。そして、ＯＦＤＭ復調器２０６は、復調したデジタルの放送信号を、信号処理部２０７に出力する。
【００１６】
信号処理部２０７は、ＰＳＫ復調器２０５およびＯＦＤＭ復調器２０６から入力されたデジタルの放送信号が含む映像信号に対して、選択的に所定のデジタル信号処理を施してグラフィック処理部２０８に出力する。また、信号処理部２０７は、ＰＳＫ復調器２０５およびＯＦＤＭ復調器２０６から入力されたデジタルの放送信号が含む音声信号に対して、選択的に所望のデジタル信号処理を施して音声処理部２０９に出力する。
【００１７】
また、信号処理部２０７には、複数（本実施形態では、４つ）の外部入力端子２１４が接続されている。これらの外部入力端子２１４は、外部装置の一例としてのＤＶＤ（Digital  Versatile  Disk）レコーダなどから、アナログの映像信号および音声信号が入力可能である。信号処理部２０７は、外部入力端子２１４から入力されたアナログの映像信号および音声信号をデジタル化する。そして、信号処理部２０７は、デジタル化した映像信号に対して所定のデジタル信号処理を施してグラフィック処理部２０８に出力する。また、信号処理部２０７は、デジタル化した音声信号に対して所定のデジタル信号処理を施して音声処理部２０９に出力する。
【００１８】
グラフィック処理部２０８は、信号処理部２０７から供給されるデジタルの映像信号に対して、ＯＳＤ信号生成部２１０で生成されるＯＳＤ信号を重畳して映像処理部２１１に出力する。また、グラフィック処理部２０８は、信号処理部２０７から供給されるデジタルの映像信号およびＯＳＤ信号生成部２１０で生成されるＯＳＤ信号のいずれか一方を映像処理部２１１に出力することも可能である。また、グラフィック処理部２０８は、信号処理部２０７から供給されるデジタルの映像信号およびＯＳＤ信号生成部２１０で生成されるＯＳＤ信号のそれぞれが、後述する表示部２３３の表示画面（例えば、ＬＣＤ：Liquid  Crystal  Display、有機ＥＬ（Electroluminescence）ディスプレイなど）の半分または当該表示画面の一部に表示されるように、当該デジタルの映像信号および当該ＯＳＤ信号を映像処理部２１１に出力することも可能である。
【００１９】
映像処理部２１１は、グラフィック処理部２０８から入力されるデジタルの映像信号（またはＯＳＤ信号）を、表示部２３３の表示画面において表示可能なフォーマットのアナログの映像信号（またはＯＳＤ信号）に変換して、表示部２３３に出力する。
【００２０】
音声処理部２０９は、信号処理部２０７から入力されるデジタルの音声信号を、スピーカ２１５で再生可能なフォーマットのアナログの音声信号に変換して、スピーカ２１５に出力する。
【００２１】
また、デジタルテレビジョン１は、制御部２１６と、カードホルダ２１７と、各種インターフェース２１８〜２２１と、明るさセンサ２３０と、を有している。制御部２１６は、ＣＰＵ（Central  Processing  Unit）２１６ａと、ＲＯＭ（Read  Only  Memory）２１６ｂと、ＲＡＭ（Random  Access  Memory）２１６ｃと、不揮発性メモリ２１６ｄと、を有している。
【００２２】
制御部２１６は、放送信号（本実施形態では、衛星デジタル放送信号または地上デジタル放送信号）の受信動作などのデジタルテレビジョン１の各種動作を統括的に制御する。また、制御部２１６は、操作部２２２からの操作情報、または受光部２２３を介してリモートコントローラ２２４から入力された操作情報に従って、デジタルテレビジョン１の各部を制御する。
【００２３】
ＣＰＵ２１６ａは、ＲＯＭ２１６ｂに記憶されているプログラムを実行することにより、デジタルテレビジョン１全体の動作を制御する。本実施形態では、ＣＰＵ２１６ａは、ＲＯＭ２１６ｂに記憶されているプログラムを実行することにより、表示制御部２３１および記憶制御部２３２を実現する。ＲＯＭ２１６ｂは、主としてＣＰＵ２１６ａが実行するプログラムを記憶している。ＲＡＭ２１６ｃは、ＣＰＵ２１６ａがプログラムを実行する際に作業エリアを提供する。不揮発性メモリ２１６ｄは、デジタルテレビジョン１の各種の設定情報および制御情報等を記憶している。
【００２４】
また、制御部２１６は、カードＩ／Ｆ（Interface）２２５を介して、メモリカード２３４が着脱可能なカードホルダ２１７に接続されている。これにより、制御部２１６は、カードＩ／Ｆ２２５を介して、カードホルダ２１７に装着されたメモリカード２３４との間で各種情報をやりとりすることができる。
【００２５】
また、制御部２１６は、通信Ｉ／Ｆ２１８を介してＬＡＮ（Local  Area  Network）端子２２６に接続されている。これにより、制御部２１６は、通信Ｉ／Ｆ２１８を介して、ＬＡＮ端子２２６に接続された図示しない外部装置（例えば、ＬＡＮ対応ＨＤＤ（Hard  Disk  Drive）など）と各種情報をやりとりすることができる。
【００２６】
また、制御部２１６は、ＨＤＭＩ（High-Definition  Multimedia  Interface）Ｉ／Ｆ２２１を介してＨＤＭＩ端子２２７に接続されている。これにより、制御部２１６は、ＨＤＭＩ  Ｉ／Ｆ２２１を介して、ＨＤＭＩ端子２２７に接続されている外部装置やインターネット等のネットワークと各種情報をやりとりすることができる。
【００２７】
また、制御部２１６は、ＵＳＢ（Universal  Serial  Bus）Ｉ／Ｆ２１９を介して、ＵＳＢ端子２２８に接続されている。これにより、制御部２１６は、ＵＳＢ  Ｉ／Ｆ２１９を介して、ＵＳＢ端子２２８に接続されたＵＳＢ  ＨＤＤ等の外部記憶装置と各種情報をやりとりすることができる。
【００２８】
さらに、制御部２１６は、ｉ．Ｌｉｎｋ  Ｉ／Ｆ２２０を介してｉ．Ｌｉｎｋ端子２２９に接続されている。これにより、制御部２１６は、ｉ．Ｌｉｎｋ  Ｉ／Ｆ２２０を介して、ｉ．Ｌｉｎｋ端子２２９に接続された外部装置と各種情報をやりとりすることができる。
【００２９】
明るさセンサ２３０は、デジタルテレビジョン１の周囲の明るさを検出可能である。制御部２１６は、明るさセンサ２３０により検出された明るさに従って、表示部２３３に表示する各種情報の明るさを制御可能である。
【００３０】
ここで、図２を用いて、本実施形態にかかるデジタルテレビジョン１においてデジタルの放送信号が含む映像信号を表示部２３３に表示させる処理について説明する。図２は、第１の実施形態にかかるデジタルテレビジョンによる映像信号の表示処理を説明するための図である。
【００３１】
制御部２１６は、チューナ２０３（またはチューナ２０４）によって所望のチャンネルの放送信号を受信すると、ＰＳＫ復調器２０５（またはＯＦＤＭ復調器２０６）を制御して、受信した放送信号から、デジタルの映像信号を含む放送信号を復調する。本実施形態では、チューナ２０３（またはチューナ２０４）およびＰＳＫ復調器２０５（またはＯＦＤＭ復調器２０６）が、画像データを含む放送データを受信する受信部として機能する。
【００３２】
次いで、表示制御部２３１は、信号処理部２０７およびグラフィック処理部２０８を制御して、図２に示すように、ＰＳＫ復調器２０５（またはＯＦＤＭ復調器２０６）により復調されたデジタルの放送信号が含む映像信号に基づく画像としての第１画像Ｄ１（例えば、ＣＭ画像など）を含む第１画面Ｇ１を表示部２３３に表示させる。
【００３３】
その際、表示制御部２３１は、図２に示すように、第１画像Ｄ１に関連する情報である関連情報Ｉ１（例えば、第１画像Ｄ１に含まれる商品画像の広告サイトなど）の表示を指示可能な画像としての第２画像Ｄ２（例えば、バナーなど）を、第１画面Ｇ１に含める。
【００３４】
具体的には、第２外部サーバ１１０は、第２画像Ｄ２を特定（識別）可能とする情報（以下、ＩＤ情報と言う）と、当該ＩＤ情報により特定される画像に関連する関連情報Ｉ１の表示を指示可能な第２画像Ｄ２の画像データとを対応付けて記憶する画像データベース１１１を有している。そして、第２外部サーバ１１０は、新たな第２画像Ｄ２の画像データを画像データベース１１１に記憶させた場合に、当該新たな第２画像Ｄ２により表示を指示可能な関連情報Ｉ１に対応する第１画像Ｄ１のＩＤ情報と、当該第１画像Ｄ１の特徴情報とを、第１外部サーバ１００に送信する（ステップＳ１）。第１外部サーバ１００は、第２外部サーバ１１０から特徴情報およびＩＤ情報を受信すると、受信した特徴情報とＩＤ情報とを対応付けてＩＤ情報データベース１０１に記憶させる。
【００３５】
デジタルテレビジョン１の表示制御部２３１は、第１画像Ｄ１を含む第１画面Ｇ１を表示部２３３に表示させると、当該第１画面Ｇ１に含めた第１画像Ｄ１の特徴を表す情報である特徴情報を、ＨＤＭＩ  Ｉ／Ｆ２２１を介して、外部装置の一例である第１外部サーバ１００に送信する（ステップＳ２）。
【００３６】
第１外部サーバ１００は、デジタルテレビジョン１から特徴情報を受信すると、ＩＤ情報データベース１０１から、受信した特徴情報と対応付けて記憶されたＩＤ情報を読み出してデジタルテレビジョン１へ送信する（ステップＳ３）。
【００３７】
デジタルテレビジョン１の表示制御部２３１は、ＨＤＭＩ  Ｉ／Ｆ２２１を介して、第１外部サーバ１００からＩＤ情報を受信する。そして、表示制御部２３１は、受信したＩＤ情報を、ＨＤＭＩ  Ｉ／Ｆ２２１を介して、外部装置の一例である第２外部サーバ１１０に送信して、第２画像Ｄ２の画像データの送信を指示する（ステップＳ４）。
【００３８】
第２外部サーバ１１０は、デジタルテレビジョン１からＩＤ情報を受信すると、画像データベース１１１から、受信したＩＤ情報と対応付けて記憶された画像データを読み出す。そして、第２外部サーバ１１０は、読み出した画像データと、当該画像データに対応する第２画像Ｄ２により表示を指示可能な関連情報Ｉ１のＵＲＬ（Uniform  Resource  Locator）とを、デジタルテレビジョン１へ送信する（ステップＳ５）。
【００３９】
デジタルテレビジョン１の表示制御部２３１は、ＲＯＭ２１６ｂに記憶されているブラウザを起動させて、第２外部サーバ１１０から受信した画像データに基づく画像である第２画像Ｄ２を、第１画面Ｇ１に含める。これにより、表示制御部２３１は、第１画像Ｄ１および第２画像Ｄ２を含む第１画面Ｇ１を表示部２３３に表示させる。本実施形態では、表示制御部２３１は、第２画像Ｄ２の画像データを第２外部サーバ１１０から受信（取得）しているが、これに限定するものではなく、例えば、ＬＡＮ端子２２６に接続された図示しないＬＡＮ用ＨＤＤ等から、第２画像Ｄ２の画像データを取得しても良い。その後、表示制御部２３１は、第２画像Ｄ２を用いて関連情報Ｉ１の表示が指示されると、第２外部サーバ１１０から受信したＵＲＬを用いて、関連情報Ｉ１にアクセスして当該関連情報Ｉ１を表示部２３３に表示させる。
【００４０】
次に、図３および図４を用いて、本実施形態にかかるデジタルテレビジョン１において関連情報Ｉ１を表示部２３３に表示させる処理について説明する。図３は、第１の実施形態にかかるデジタルテレビジョンにおいて関連情報を表示部に表示させる処理の流れを示すフローチャートである。図４は、第１の実施形態にかかるデジタルテレビジョンにおいて第２画面の表示例を示す図である。
【００４１】
表示制御部２３１は、リモートコントローラ２２４から、番組の視聴を指示する操作情報が入力されると、視聴対象の番組の放送信号から復調したデジタルの映像信号に基づく第１画像Ｄ１を含む第１画面Ｇ１を表示部２３３に表示させる（ステップＳ３０１）。
【００４２】
その際、表示制御部２３１は、第１画面Ｇ１に含める第１画像Ｄ１の特徴を表す特徴情報を第１外部サーバ１００に対して送信する（ステップＳ３０２）。そして、表示制御部２３１は、第１外部サーバ１００から送信されるＩＤ情報を受信する（ステップＳ３０３）。さらに、表示制御部２３１は、受信したＩＤ情報を、第２外部サーバ１１０に送信して、第２画像Ｄ２の画像データの送信を指示する（ステップＳ３０４）。そして、表示制御部２３１は、第２外部サーバ１１０から送信された画像データを受信する（ステップＳ３０５）。本実施形態では、表示制御部２３１は、画像データとともに、当該画像データに従って表示される第２画像Ｄ２を用いて表示を指示可能な関連情報Ｉ１（例えば、広告サイトなど）のＵＲＬを受信する。
【００４３】
次いで、表示制御部２３１は、第１外部サーバ１００から受信した画像データに基づく第２画像Ｄ２（本実施形態では、バナー）を、第１画面Ｇ１に含めることにより、当該第２画像Ｄ２を表示部２３３に表示させる（ステップＳ３０６）。本実施形態では、表示制御部２３１は、関連情報Ｉ１の表示を指示可能な第２画像Ｄ２としてバナーを表示させているが、これに限定するものではなく、例えば関連情報Ｉ１のＵＲＬや当該関連情報Ｉ１のサイト名等を第２画像Ｄ２として表示させても良い。
【００４４】
その後、第２画像Ｄ２を用いて、関連情報Ｉ１（本実施形態では、広告サイト）の表示を指示する操作情報がリモートコントローラ２２４から入力されると、表示制御部２３１は、ＲＯＭ２１６ｂに記憶されるブラウザを起動させて、画像データとともに受信したＵＲＬを用いて、ネットワーク上の広告サイト（第１画面Ｇ１に含まれる第１画像Ｄ１に関わる関連情報Ｉ１の一例）を含む画面（以下、第２画面Ｇ２と言う）を表示部２３３に表示させる（ステップＳ３０７）。本実施形態では、表示制御部２３１は、関連情報Ｉ１を含む第２画面Ｇ２を表示部２３３に表示させる際、第２画像Ｄ２を表示部２３３に表示させる際に用いたブラウザとは異なるブラウザを起動させて、関連情報Ｉ１を含む第２画面Ｇ２を表示させるものとする。
【００４５】
本実施形態では、表示制御部２３１は、関連情報Ｉ１の表示が指示された際に、ＲＯＭ２１６ｂに記憶されるブラウザを起動させて関連情報Ｉ１を含む第２画面Ｇ２を表示部２３３に表示させているが、関連情報Ｉ１の表示が指示される前に、ＲＯＭ２１６ｂに記憶されているブラウザを起動させて、予め関連情報Ｉ１を取得しておき、関連情報Ｉ１の表示が指示された場合に、予め取得しておいた関連情報Ｉ１を含む第２画面Ｇ２を表示させることも可能である。これにより、表示制御部２３１は、関連情報Ｉ１の表示が指示された場合に、直ちに、関連情報Ｉ１を含む第２画面Ｇ２を表示部２３３に表示させることができる。
【００４６】
本実施形態では、表示制御部２３１は、第１画面Ｇ１に含まれる第２画像Ｄ２（図２参照）を用いて関連情報Ｉ１の表示が指示されると、図４に示すように、第１画面Ｇ１に代えて、広告サイト等の関連情報Ｉ１を含む第２画面Ｇ２を表示部２３３に表示させる。本実施形態では、表示制御部２３１は、関連情報Ｉ１の表示が指示された場合に、第１画面Ｇ１に代えて、第２画面Ｇ２を表示部２３３に表示させているが、これに限定するものではなく、例えば、第１画面Ｇ１の一部に第２画面Ｇ２を重ねて表示しても良い。
【００４７】
図３に戻り、記憶制御部２３２は、第２画像Ｄ２を用いた関連情報Ｉ１の表示指示に応じて（本実施形態では、第２画像Ｄ２を用いて関連情報Ｉ１の表示が指示されたタイミングから）、視聴中のコンテンツ（視聴対象の番組のデジタルの放送信号）を、ＵＳＢ端子２２８を介して接続された図示しないＵＳＢ  ＨＤＤ（記憶部の一例）（またはＬＡＮ端子２２６に外部装置として接続された図示しないＬＡＮ対応ＨＤＤ等）に記憶させる録画処理（記憶処理）を開始する（ステップＳ３０８）。
【００４８】
本実施形態では、記憶制御部２３２は、第２画像Ｄ２を用いて関連情報Ｉ１の表示が指示されたタイミングから、視聴中のコンテンツの録画処理を開始しているが、第２画像Ｄ２を用いた関連情報Ｉ１の表示指示に応じて、視聴中のコンテンツの録画処理を開始するものであれば、これに限定するものではない。例えば、記憶制御部２３２は、関連情報Ｉ１の表示が指示された後、第２画面Ｇ２の表示部２３３への表示に同期して、視聴中のコンテンツの録画処理を開始しても良い。または、記憶制御部２３２は、関連情報Ｉ１の表示が指示されてから、所定時間経過後に、視聴中のコンテンツの録画処理を開始しても良い。
【００４９】
また、本実施形態では、記憶制御部２３２は、第２画像Ｄ２を用いて関連情報Ｉ１の表示指示が行われた際に受信していた放送信号に対応する番組が終了した場合に、視聴中のコンテンツの録画処理を終了する。これにより、デジタルテレビジョン１のユーザが興味を持つ可能性が低い番組のコンテンツの録画処理が行われることを防止できる。
【００５０】
また、本実施形態では、記憶制御部２３２は、関連情報Ｉ１の表示が指示された場合に、常に、視聴中のコンテンツの録画処理を行っているが、これに限定するものではない。例えば、記憶制御部２３２は、視聴中のコンテンツの録画処理の実行を指示する録画設定（第１設定の一例）が設定情報として不揮発性メモリ２１６ｄに記憶されている場合（すなわち、録画設定が予め設定されている場合）、視聴中のコンテンツの録画処理を実行し、録画設定が予め設定されていない場合、視聴中のコンテンツの録画処理を禁止しても良い。
【００５１】
さらに、本実施形態では、表示制御部２３１は、録画処理を実行した場合、図４に示すように、当該録画処理の実行に関わる実行情報Ｉ２を第２画面Ｇ２に含める。これにより、デジタルテレビジョン１のユーザは、視聴中のコンテンツの録画処理の実行状態を認識することができる。具体的には、表示制御部２３１は、第２画面Ｇ２が表示部２３３に表示されて録画処理が開始されると、録画処理が開始された旨や録画処理が実行中である旨のメッセージなど録画処理の開始（または実行中）を識別可能な情報を実行情報Ｉ２として第２画面Ｇ２に含める。また、表示制御部２３１は、録画処理が終了すると、録画処理が終了した旨のメッセージなど録画処理の終了を識別可能な情報を実行情報Ｉ２として第２画面Ｇ２に含める。第２画面Ｇ２への実行情報Ｉ２の表示方法としては、表示制御部２３１は、グラフィック処理部２０８およびＯＳＤ信号生成部２１０を制御して、第２画面Ｇ２を表示しているブラウザ上に、上述したメッセージのＯＳＤ信号を重畳することにより、実行情報Ｉ２を第２画面Ｇ２へ表示させる。
【００５２】
図３に戻り、表示制御部２３１は、第２画面Ｇ２を表示部２３３に表示させている間、第２画面Ｇ２の表示（閲覧）終了を指示する操作情報がリモートコントローラ２２４から入力されたか否かを判断する（ステップＳ３０９）。第２画面Ｇ２の閲覧終了を指示する操作情報が入力された場合（ステップＳ３０９：Ｙｅｓ）、すなわち、第２画面Ｇ２の表示終了に連続して、表示制御部２３１は、通信Ｉ／Ｆ２１８を介して、ＵＳＢ端子２２８を介して接続されたＵＳＢ  ＨＤＤから、録画処理を行ったコンテンツ（視聴対象の番組のデジタルの放送信号）を読み出し、当該デジタルの放送信号が含む映像信号に基づく画像を含む第３画面を表示部２３３に表示させる再生処理（追っかけ再生）を開始する（ステップＳ３１０）。
【００５３】
本実施形態では、表示制御部２３１は、自動的に、追っかけ再生が開始されているが、これに限定するものではない。例えば、表示制御部２３１は、追っかけ再生を指示する自動再生設定（第２設定の一例）が設定情報として不揮発性メモリ２１６ｄに記憶されている場合（すなわち、自動再生設定が予め設定されている場合）、追っかけ再生を実行し、自動再生設定が予め設定されていない場合、追っかけ再生の実行を禁止する。
【００５４】
このように、本実施形態のデジタルテレビジョン１によれば、関連情報Ｉ１を含む第２画面Ｇ２が表示部２３３に表示された場合に、関連情報Ｉ１の表示が指示されたタイミングを基準として、視聴中のコンテンツの録画処理が開始されるので、コンテンツの視聴が中断され、コンテンツを見逃してしまうことを防止できる。
【００５５】
（第２の実施形態）
本実施形態は、関連情報を含む第２画面の表示が所定の表示条件を満たした場合に、第２画面の一部に、録画処理を実行した放送信号が含む映像信号に基づく画像を含む第４画面を重ねて表示させる例である。以下の説明では、第１の実施形態と同様の箇所については説明を省略する。
【００５６】
本実施形態では、表示制御部２３１は、第２画面Ｇ２の表示が所定の表示条件を満たした場合に、第２画面Ｇ２の一部に、録画処理を実行した放送信号を含む映像信号に基づく画像を含む第４画面を重ねて表示部２３３に表示させる。本実施形態では、所定の表示条件は、第１画面Ｇ１が含む第２画像Ｄ２（図２参照）を用いて表示が指示された関連情報Ｉ１（広告サイト）とは異なる関連情報Ｉ１（例えば、広告サイトのリンク先として設定されている購入サイトなど）が表示部２３３に表示されたことである。
【００５７】
図５は、第２の実施形態にかかるデジタルテレビジョンによる第４画面の表示例を示す図である。本実施形態では、表示制御部２３１は、関連情報Ｉ１を含む第２画面Ｇ２の表示が所定の表示条件を満たした場合、図５に示すように、録画処理を実行した放送信号が含む映像信号に基づく画像ｄ１（例えば、ＣＭ画像など）を含む第４画面ｇ２を、第２画面Ｇ２の一部に重ねて表示させる。これにより、デジタルテレビジョン１のユーザは第２画面Ｇ２を閲覧しながら、第４画面ｇ２が含む画像ｄ１を視聴することができるので、コンテンツの見逃しを防止できる。
【００５８】
本実施形態では、所定の表示条件として、第１画面Ｇ１が含む第２画像Ｄ２により指示された関連情報Ｉ１とは異なる関連情報Ｉ１が表示部２３３に表示されたことを用いているが、これに限定するものではなく、第２画面Ｇ２の表示が開始されてから所定時間経過したことや第２画面Ｇ２の表示中に第４画面ｇ２の表示を指示する操作情報がリモートコントローラ２２４等から入力されたこと等を所定の表示条件として用いても良い。
【００５９】
このように、本実施形態のデジタルテレビジョン１によれば、関連情報Ｉ１を閲覧しながら録画処理を実行したコンテンツを視聴することができるので、コンテンツの見逃しを防止することができる。
【００６０】
（変形例１）
本変形例は、第１画面が含む第１画像において表示中の画像内容よりも前に表示された画像内容に関連する関連情報の表示を指示可能とする画像（以下、操作画像と言う）を、第１画面に含める例である。以下の説明では、上述した実施形態と同様の箇所については説明を省略する。
【００６１】
本変形例では、表示制御部２３１は、第１画面Ｇ１を表示部２３３に表示している際、当該第１画面Ｇ１が含む第１画像Ｄ１において表示中の画像内容よりも前に表示された画像内容（以下、過去画像内容と言う）に関連する関連情報Ｉ１の表示を指示可能とする操作画像を第１画面Ｇ１に含める。
【００６２】
図６および図７は、変形例１にかかるデジタルテレビジョンによる操作画像の表示例を示す図である。例えば、表示制御部２３１は、図６に示すように、過去画像内容が表示部２３３に表示されていた際に、第１画面Ｇ１に含めた第２画像Ｄ２（または、当該第２画像Ｄ２を縮小した画像、当該第２画像Ｄ２の輪郭のみを示す画像）を、当該過去画像内容に関連する関連情報Ｉ１の表示を指示可能な操作画像Ｄ３として第１画面Ｇ１に含める。また、表示制御部２３１は、第１画面Ｇ１において表示中の第１画像Ｄ１の画像内容がＣＭ画像である場合には、操作画像Ｄ３を第１画面Ｇ１に含め、第１画面Ｇ１において表示中の第１画像Ｄ１の画像内容が本編の画像である場合には、操作画像Ｄ３の表示を禁止しても良い。すなわち、表示制御部２３１は、第１画面Ｇ１において表示中の第１画像Ｄ１の画像内容がＣＭ画像である場合にのみ、操作画像Ｄ３を第１画面Ｇ１に含めても良い。
【００６３】
また、表示制御部２３１は、図７に示すように、過去画像内容に関連する関連情報Ｉ１の表示を指示可能とする第２画像Ｄ２の再表示を指示可能とする操作画像Ｄ４を第１画面Ｇ１に含めることにより、過去画像内容に関連する関連情報Ｉ１の表示を指示可能としても良い。
【００６４】
このように、本変形例のデジタルテレビジョン１によれば、第１画面Ｇ１に表示された第１画像Ｇ１を視聴中に、ユーザが閲覧したい関連情報Ｉ１の表示を指示可能な第２画像Ｄ２の内容に変わってしまった場合でも、過去画像内容に関連する関連情報Ｉ１の表示を指示可能とすることができる。
【００６５】
以上説明したとおり、第１，２の実施形態によれば、聴中のコンテンツが表示された画面に代えて、広告サイトの画面が表示された場合に、視聴中のコンテンツの見逃しを防止することができる。
【００６６】
以上の説明では、本実施形態にかかる情報処理装置をデジタルテレビジョン１に適用した例について説明したが、これに限定するものではなく、例えば、本実施形態にかかる情報処理装置を、ＰＣ（Personal  Computer）やタブレット端末等にも適用することが可能である。
【００６７】
なお、本実施形態のデジタルテレビジョン１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００６８】
さらに、本実施形態のデジタルテレビジョン１で実行されるプログラムを、インターネット等のネットワークに接続されたコンピュータ上に格納し、ネットワーク経由でダウンロードさせることにより提供するように構成しても良い。また、本実施形態のデジタルテレビジョン１で実行されるプログラムをインターネット等のネットワーク経由で提供または配布するように構成しても良い。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１  デジタルテレビジョン
２０１，２０２  入力端子
２０３，２０４  チューナ
２０５  ＰＳＫ復調器
２０６  ＯＦＤＭ復調器
２０７  信号処理部
２０８  グラフィック処理部
２１１  映像処理部
２３３  表示部
２１６  制御部
２１６ａ  ＣＰＵ
２１６ｂ  ＲＯＭ
２１６ｃ  ＲＡＭ
２１６ｄ  不揮発性メモリ
２３１  表示制御部
２３２  記憶制御部
１００  第１外部サーバ
１０１  ＩＤ情報データベース
１１０  第２外部サーバ
１１１  画像データベース
【図１】
2015146492.tif 000003
【図２】
2015146492.tif 000004
【図３】
2015146492.tif 000005
【図４】
2015146492.tif 000006
【図５】
2015146492.tif 000007
【図６】
2015146492.tif 000008
【図７】
2015146492.tif 000009